(57)【要約】【課題】  点灯装置と光源とを離れた位置に配置できるようにして、点灯装置と光源すなわち表示パネルとの間を金属製パイプなどで延長接続できるようにして、表示部全体としての小型化を図れるようにする。【解決手段】  商用電源を所定電圧まで降圧する点灯装置が配設された器具本体１と、ＬＥＤ光源２を有する表示パネル３を備え、器具本体１から離して配置された表示パネルユニット４と、内部に点灯装置とＬＥＤ光源２とを電気的に接続する電線が挿通され、かつ器具本体１と表示パネルユニット４とを機械的に接続するパイプ５とから構成する。【選択図】        図１
2006156233.tif 000002
【特許請求の範囲】
【請求項１】
商用電源を所定電圧まで降圧する点灯装置が配設された器具本体と、
ＬＥＤ光源を有する表示パネルを備え、前記器具本体から離して配置された表示パネルユニットと、
内部に前記点灯装置と前記ＬＥＤ光源とを電気的に接続する電線が挿通され、かつ前記器具本体と前記表示パネルユニットとを機械的に接続するパイプと、
を有することを特徴とする表示装置。
【請求項２】
表示パネルの背面側に、該表示パネルを収容してＬＥＤ光源から発する熱を放散させる蓋状の表示板保持部材を設け、該表示板保持部材をパイプ側に接続することで、器具本体と表示パネルユニットとを接続することを特徴とする請求項１記載の表示装置。
【請求項３】
ＬＥＤ光源の基板を放熱特性の良い材料からなるランプカバーと一体化し、該ランプカバーと表示板保持部材とで表示パネルを挾持するように、該ランプカバーを表示板保持部材に着脱可能に取り付けたことを特徴とする請求項１又は請求項２記載の表示装置。
【請求項４】
パイプに、その軸線に直交する方向の短管を設け、該短管を介して表示板保持部材とパイプとを接続したことを特徴とする請求項２記載の表示装置。
【請求項５】
パイプの両側に、それぞれ短管を介して表示板保持部材を接続したことを特徴とする請求項４記載の表示装置。
【請求項６】
器具本体内に、該器具本体を天井のアンカーボルトに取り付けるための台座を突出させて設け、パイプの基端に、該パイプを前記台座にワンタッチで取り付けるための爪を備えた金具を設けたことを特徴とする請求項１乃至請求項５のいずれかに記載の表示装置。
【請求項７】
パイプに、該パイプが貫通する天井の孔を覆う化粧パネルを取り付けるためのクランプ部材を設けたことを特徴とする請求項６記載の表示装置。
【請求項８】
器具本体内に、該器具本体を天井のアンカーボルトに取り付けるための台座と複数のばね掛部を設けるとともに、パイプの基端に、化粧パネルを取り付け、該化粧パネルの端面の複数個所に、前記複数のばね掛部にそれぞれ弾性係合して該化粧パネルを天井の孔の縁部に押し付けるばねを設けたことを特徴とする請求項１乃至請求項５のいずれかに記載の表示装置。
【請求項９】
点灯装置を、器具本体より側方に突出させて設けたことを特徴とする請求項１乃至請求項８のいずれかに記載の表示装置。
【請求項１０】
器具本体を、スイッチボックスに収納できる形状に形成したことを特徴とする請求項１乃至請求項５のいずれかに記載の表示装置。
【請求項１１】
器具本体を、表示パネルユニットよりも幅狭で、一部が該表示パネルユニットの周縁より突出する形状に形成して、前記器具本体と表示パネルユニットとを重ねて配置し、かつこれらの間を接続するパイプを中心に該器具本体と該表示パネルユニットとを相対回動可能に形成し、前記器具本体の突出部を建物への取付部として構成したことを特徴とする請求項１乃至請求項３のいずれかに記載の表示装置。
【請求項１２】
器具本体の両面に、それぞれパイプを介して表示パネルユニットを配置したことを特徴とする請求項１１記載の表示装置。
【請求項１３】
表示パネルは、誘導表示パネルであることを特徴とする請求項１乃至請求項１２のいずれかに記載の表示装置。
【発明の詳細な説明】
【技術分野】
【０００１】
本発明は、光源にＬＥＤ（Light Emitting Diode）を用いる表示装置に関する。
【背景技術】
【０００２】
光源に冷陰極ランプを用いた表示装置、例えば非常口の場所を知らせる誘導灯装置は知られている。このようなものにおいては、交流商用電源を直流化する電源部とこの電源部からの直流電圧で作動する高周波点灯装置を備えており、これによって表示パネルに配設される冷陰極ランプを点灯させるようにしている（例えば特許文献１参照）。
【０００３】
【特許文献１】特開平８−２７３４１２号公報
【発明の開示】
【発明が解決しようとする課題】
【０００４】
冷陰極ランプは、例えば一本、ＡＣ４３０Ｖ、４５〜６０ｋＨｚの高電圧、高周波の電源を用いている。このような高電圧、高周波の電源は、基本的にアースなどに対して漏れ電流を発生し易い。さらに、冷陰極ランプは細いランプからなり、電流が６ｍＡ程度と少ないため、リークが生じると、十分な輝度が得られず暗くなる。つまり、冷陰極ランプと点灯装置（インバータ電源）とを離してこれらの間を出力線で結んだ場合、この出力線からリーク電流が流れて冷陰極ランプに流れる電流が減少し暗くなってしまう。そのため、光源に冷陰極ランプを用いた表示装置にあっては、光源と点灯装置とを離すことができず、光源と点灯装置とを共に器具本体内に収容して表示パネル側に配置する構成を採っており、表示部全体としての大型化が避けられなかった。
【０００５】
本発明の技術的課題は、点灯装置と光源とを離れた位置に配置できるようにして、点灯装置と光源すなわち表示パネルとの間を金属製パイプなどで延長接続できるようにして、表示部全体としての小型化を図れるようにすることにある。
【課題を解決するための手段】
【０００６】
本発明に係る表示装置は、商用電源を所定電圧まで降圧する点灯装置が配設された器具本体と、ＬＥＤ光源を有する表示パネルを備え、器具本体から離して配置された表示パネルユニットと、内部に点灯装置とＬＥＤ光源とを電気的に接続する電線が挿通され、かつ器具本体と表示パネルユニットとを機械的に接続するパイプと、を有するものである。
【発明の効果】
【０００７】
本発明の表示装置によれば、光源にＬＥＤを用い、点灯装置からＬＥＤ光源に低電圧定電流を出力するため、従来のような漏れ電流の問題は無くなり、光源と点灯装置とを結ぶ電線（出力線）からリーク電流が流れることがなくなる。このため、光源と点灯装置とを結ぶ電線を長くすることができて、点灯装置と光源とを離れた位置に配置することができる。そして、点灯装置と光源との間、つまり器具本体と表示パネルユニットとの間を金属製パイプなどで延長接続することができて、設計的自由度が拡大する。さらに、表示パネルユニットを薄くできるので、表示部全体としての小型化が図れ、美観に優れたものが得られる。
【発明を実施するための最良の形態】
【０００８】
実施の形態１．
以下、図示実施形態により本発明を説明する。
図１は本発明の実施の形態１に係る表示装置の全体構成を示す分解斜視図、図２はその組付途中の状態を示す斜視図、図３はその組付完了後の状態を示す斜視図、図４は化粧パネルのクランプ部材の一部断面表示を含む正面図、図５はパイプと表示パネルユニットとの関係を示す分解斜視図、図６はパイプと表示パネルユニットとの組付状態を示す斜視図である。
【０００９】
本実施形態の表示装置は、商用電源を所定電圧まで降圧し、かつその電圧を直流に変換する点灯装置（図示せず）が配設された有底円筒状の器具本体１と、ＬＥＤ光源２を有する表示パネルすなわち誘導表示パネル３を備え、器具本体１から離して配置された表示パネルユニット４と、内部に点灯装置とＬＥＤ光源２とを電気的に接続する電線（図示せず）が挿通され、かつ器具本体１と表示パネルユニット４とを機械的に接続する金属製のパイプ５およびこのパイプ５に設けられてその軸線直交方向に突出し先端が表示パネルユニット４に当接する短管５ａ，５ｂとから構成されている。なお、器具本体１には、点灯装置の他に、バッテリ、バッテリを充電する充電回路、及び通常時は商用電源から電源を点灯装置に供給させ、停電時などにバッテリから電源を供給させるように切り替える切り替え回路も備えられている。また、ＬＥＤ光源を逆並列に接続し、このＬＥＤ光源に商用電源を所定電圧まで降圧した交流電源を給電してＬＥＤ光源を点灯させる点灯装置を用いてもよい。
【００１０】
これを更に詳述すると、ＬＥＤ光源２は、図５及び図６のようにＬＥＤ基板６を放熱特性の良い材料（例えばアルミニウム）からなるランプカバー７と一体化して構成されている。
【００１１】
また、誘導表示パネル３は、表示をするための模様（誘導表示）が描かれた前面パネル３ａと、輝度を一定にさせるための加工を施され、前面パネル３ａの背面に配置された導光板３ｂと、導光板３ｂの背面に配置されて輝度アップさせる光学シート３ｃと、これら前面パネル３ａ、導光板３ｂ、及び光学シート３ｃを保持する樹脂製透明枠３ｄとから構成されている。
【００１２】
また、誘導表示パネル３の背面側には、誘導表示パネル３を収容してＬＥＤ光源２から発する熱を放散させる蓋状の表示板保持部材８が設けられ、表示板保持部材８をねじ９によりパイプ５側に接続することで、器具本体１と表示パネルユニット４とを接続するようになっている。なお、図５ではパイプ５と表示板保持部材８との間に取付金具１１が介在しているものを示してあるが、図１乃至図３に示すような短管５ａ，５ｂが介在する場合は、パイプ５に短管５ａ，５ｂの端部を溶接などで固定し、短管５ａ，５ｂの他方の端部に設けたフランジ部と表示板保持部材８とをねじ９にて接続するようになっている。すなわち、取付金具１１や短管５ａ，５ｂは、パイプ５と表示板保持部材８との間に隙間を形成して冷却効率を上げるために設けられたものであり、必ずしも必要なものでなく、パイプ５と表示板保持部材８とを直接接続してもよい。なお、点灯装置からＬＥＤ光源２までの配線は、パイプ５内から短管５ａ，５ｂ内に電線を収納し、表示板保持部材８の裏面から電線を挿入して、ＬＥＤ光源部に接続される。また、電線にコネクタを備えて、パイプ５及び短管５ａ，５ｂを、器具本体１及び表示板保持部材８から外せるようにするとよい。また、表示板保持部材８を放熱特性のよいアルミダイキャストなどで構成して、表示板保持部材８との間に隙間を形成するとさらに冷却効率を上げることができる。
【００１３】
またランプカバー７と表示板保持部材８とで誘導表示パネル３を挾持するように、ランプカバー７をねじ１２によって表示板保持部材８に着脱可能に取り付けており、これによって誘導表示パネル３の表示板保持部材８からの脱落を確実に防止でき、かつランプ交換が容易となっている。さらに、ＬＥＤ光源２から発する熱を前面側からも放散させることができる。
【００１４】
器具本体１は、開口を下にして天井に埋め込むように設置されており、図１及び図２のようにその底部１ａには、天井のアンカーボルト１３が挿通する孔１ｂが形成されているとともに、孔１ｂの周縁に、下方に突出する基本的にコ字状の台座１４が取り付けられ、台座１４の中央にアンカーボルト１３が挿通可能な孔が形成されている。したがって、アンカーボルト１３を器具本体１の孔１ｂから台座１４の孔を貫通させ、その貫通端にナット１５を取り付けることで、器具本体１をアンカーボルト１３に連結することができる。その際、アンカーボルト１３の台座１４からの貫通部にナット１５を螺合させればよいため、締結ストロークが短くて済み、かつ締結作業位置も器具本体１の中間部分に位置することとなって作業がし易い。
【００１５】
また、台座１４のコ字状の両脚部には、それぞれスリット１４ａ，１４ｂが形成され、一方、パイプ５の基端には、これを台座１４のスリット１４ａ，１４ｂにワンタッチで取り付けるための爪１６ａ，１６ｂを備えたコ字状の把持金具１６が設けられている。したがって、天井に開けられた図示しない孔より器具本体１の開口内にパイプ５の基端部を差し込み（図１）、把持金具１６の爪１６ａ，１６ｂをその弾性力によって台座１４のスリット１４ａ，１４ｂ内にそれぞれ嵌入させれば、パイプ５と器具本体１とが連結され（図２）、これらがアンカーボルト１３に保持される。
【００１６】
また、パイプ５には、これが貫通する天井の孔を覆うリング状の化粧パネル１７を取り付けるためのクランプ部材１８が設けられている。クランプ部材１８は、図４のようにフランジ２１ａを有し内周面と外周面にそれぞれ雌ねじ２１ｂと雄ねじ２１ｃが形成されたダブルナット２１と、ダブルナット２１の雄ねじ２１ｃに螺合する雌ねじ２２ａを有し、ダブルナット２１のフランジ２１ａと協調して化粧パネル１７を挟み込む化粧ナット２２とから構成され、パイプ５に形成された雄ねじ５ｅとダブルナット２１の雌ねじ２１ｂとの螺合位置を変えることで、化粧パネル１７のパイプ５への取付位置を調整できるようになっている。これにより、化粧パネル１７のパイプ５への取付が容易となり、作業性が向上する。
【００１７】
このように本実施形態においては、光源にＬＥＤを用い、点灯装置からＬＥＤ光源２に低電圧定電流を出力するため、従来のような漏れ電流の問題は無くなり、光源と点灯装置とを結ぶ電線（出力線）からリーク電流が流れることがなくなる。このため、光源と点灯装置とを結ぶ電線を長くすることができて、点灯装置と光源とを離れた位置に配置することができる。そして、点灯装置と光源との間、つまり器具本体１と表示パネルユニット４との間を金属製パイプ５などで延長接続することができて、設計的自由度が拡大する。さらに、表示パネルユニット４を薄くできるので、表示部全体としての小型化が図れ、美観に優れたものが得られる。
【００１８】
実施の形態２．
図７は本発明の実施の形態２に係る表示装置の全体構成を示す斜視図であり、図中、前述の実施形態１と同一又は相当する部分には同一符号を付してある。
【００１９】
本実施形態の表示装置は、パイプ５の両側に、それぞれ短管５ａ，５ｂ，５ｃ，５ｄを介して表示板保持部材８，８すなわち誘導表示パネル３，３を有する表示パネルユニット４Ａ，４Ｂを接続したものであり、それ以外の構成は前述の実施形態１と同一であり、実施形態１のもつ機能を全て備えている。
【００２０】
本実施形態においては、両側の表示パネルユニット４Ａ，４Ｂとも短管５ａ，５ｂ，５ｃ，５ｄを介してパイプ５に接続してあるため、パイプ５と各表示板保持部材８，８との間にそれぞれ冷却のための隙間を十分に確保することができ、冷却効率を上げることができる。また、単一の点灯装置によって、複数の表示パネルユニット４Ａ，４Ｂに電源を供給できるため装置をコンパクトにすることができる。さらに、両側から誘導表示が見えるため、例えば長い廊下の中央に非常階段がある場合など、点灯装置等を個別に設置する必要がなく、経済的である。
【００２１】
実施の形態３．
図８は本発明の実施の形態３に係る表示装置の全体構成を示す分解斜視図であり、図中、前述の実施形態１と同一又は相当する部分には同一符号を付してある。
【００２２】
本実施形態の表示装置は、器具本体１内に、これを天井のアンカーボルト１３に取り付けるための台座１４と複数（２つ）のばね掛部３１ａ，３１ｂを設けるとともに、パイプ５の基端に、クランプ部材１８によって化粧パネル１７を取り付け、化粧パネル１７の端面の複数個所（２個所）に、各ばね掛部３１ａ，３１ｂにそれぞれ弾性係合して化粧パネル１７を天井の孔の縁部に押し付けるＶばね３２ａ，３２ｂを設けたものであり、それ以外の構成は前述の実施形態１と同一である。
【００２３】
本実施形態において、アンカーボルト１３に取り付けられた器具本体１へパイプ５側を接続するには、まずＶばね３２ａ，３２ｂを圧縮した状態で、ばね掛部３１ａ，３１ｂとの位置合わせを行い、天井に開けられた図示しない孔より器具本体１の開口内に挿入し、ばね掛部３１ａ，３１ｂに係合させる。これによりパイプ５と器具本体１とが連結され、これらがアンカーボルト１３に保持される。そして、天井の孔は、Ｖばね３２ａ，３２ｂの弾性力により上方に付勢される化粧パネル１７により塞がれる。
【００２４】
このように、Ｖばね３２ａ，３２ｂを用いることで、本実施形態においても、パイプ５を器具本体１にワンタッチで取り付けることができる。
【００２５】
実施の形態４．
図９は本発明の実施の形態４に係る表示装置の全体構成を示す斜視図であり、図中、前述の実施形態１と同一又は相当する部分には同一符号を付してある。
【００２６】
本実施形態の表示装置は、前述の実施形態１又は実施形態３で説明した片面表示方式の表示装置において、点灯装置４１を、器具本体１より側方に突出させて設けたものであり、それ以外の構成は前述の実施形態１又は実施形態３と同一である。
【００２７】
本実施形態においては、点灯装置４１を、器具本体１より側方に突出させて設けることで、器具本体１の高さ寸法を圧縮することができ、浅い天井空間の場合でも、器具本体１を天井に埋め込むことができる。
【００２８】
実施の形態５．
図１０は本発明の実施の形態５に係る表示装置の全体構成を示す斜視図であり、図中、前述の実施形態２と同一又は相当する部分には同一符号を付してある。
【００２９】
本実施形態の表示装置は、前述の実施形態２で説明した両面表示方式の表示装置において、点灯装置４１を、器具本体１より側方に突出させて設けたものであり、それ以外の構成は前述の実施形態２と同一である。
【００３０】
本実施形態においても、点灯装置４１を、器具本体１より側方に突出させて設けることで、器具本体１の高さ寸法を圧縮することができ、浅い天井空間の場合でも、器具本体１を天井に埋め込むことができる。
【００３１】
なお、前述の実施形態１〜５では、いずれも器具本体１を円筒形状にして、その内部やあるいは側方に突出させて点灯装置を設けたものを例に挙げて説明したが、器具本体１の形状は円筒に限らず、断面多角形のものとしてもよく、この場合にはこれに合わせて天井の孔や化粧パネル１７も多角形に形成すればよい。
【００３２】
実施の形態６．
本実施形態の表示装置は、前述の実施形態１〜５で説明した点灯装置を備えた器具本体１の形状を、スイッチボックスに収納できる形状に形成したものである。
【００３３】
本実施形態のように、点灯装置を備えた器具本体１の形状を、スイッチボックスに収納できる形状に形成することで、天井、壁などに特別な取り付け施工をすることなく取付けることができる。
【００３４】
実施の形態７．
図１１は本発明の実施の形態７に係る表示装置の全体構成を示す側面図、図１２乃至図１４はいずれもその建物への取付例を示す斜視図であり、各図中、前述の実施形態１と同一又は相当する部分には同一符号を付してある。
【００３５】
本実施形態の表示装置は、前述の実施形態１で説明した点灯装置を備えた器具本体１Ａを、表示パネルユニット４よりも幅狭で、一部が表示パネルユニット４の周縁より突出する形状に形成して、器具本体１Ａと表示パネルユニット４とを重ねて配置し、かつ電線（図示せず）が挿通されてこれらの間を電気的および機械的に接続するパイプ５を中心に器具本体１Ａと表示パネルユニット４とを相対回動可能に形成し、器具本体１Ａの突出部を建物への取付部１ａとして構成したものであり、それ以外の構成は前述の実施形態１と同一である。
【００３６】
本実施形態において、表示装置を天井に取り付ける場合は、器具本体１Ａと表示パネルユニット４とを相対回動させて、図１１及び図１２のように器具本体１Ａの取付部１ａが上方に位置するように調整する。また、表示装置を壁に取り付ける場合は、図１３のように器具本体１Ａの取付部１ａが側方に位置するように調整する。さらに、表示装置を卓上や桟に取り付ける場合は、図１４のように器具本体１Ａの取付部１ａが下方に位置するように調整する。
【００３７】
このように本実施形態においては、表示パネルユニット４を器具本体１Ａに対して相対的に回転させることができるので、器具本体１Ａを天井、壁、机上などに設置しても表示面を所定の方向へ変更することができる。
【００３８】
実施の形態８．
図１５は本発明の実施の形態８に係る表示装置の全体構成を示す側面図、図１６乃至図１８はいずれもその建物への取付例を示す斜視図であり、各図中、前述の実施形態２と同一又は相当する部分には同一符号を付してある。
【００３９】
本実施形態の表示装置は、前述の実施形態２で説明した点灯装置を備えた器具本体１Ａを、両側の表示パネルユニット４Ａ，４Ｂよりも幅狭で、一部が両側の表示パネルユニット４Ａ，４Ｂの周縁より突出する形状に形成して、器具本体１Ａと両側の表示パネルユニット４Ａ，４Ｂとを重ねて配置し、かつ電線（図示せず）が挿通されてこれらの間を電気的および機械的に接続するパイプ５Ａ，５Ｂを中心に器具本体１Ａと各表示パネルユニット４Ａ，４Ｂとを相対回動可能に形成し、器具本体１Ａの突出部を建物への取付部１ａとして構成したものであり、それ以外の構成は前述の実施形態２と同一である。
【００４０】
本実施形態において、表示装置を天井に取り付ける場合は、器具本体１Ａと両側の表示パネルユニット４Ａ，４Ｂとを相対回動させて、図１５及び図１６のように器具本体１Ａの取付部１ａが上方に位置するように調整する。また、表示装置を壁に取り付ける場合は、図１７のように器具本体１Ａの取付部１ａが側方に位置するように調整する。さらに、表示装置を卓上や桟に取り付ける場合は、図１８のように器具本体１Ａの取付部１ａが下方に位置するように調整する。
【００４１】
このように本実施形態においても、表示パネルユニット４Ａ，４Ｂを器具本体１Ａに対して相対的に回転させることができるので、器具本体１Ａを天井、壁、机上などに設置しても表示面を所定の方向へ変更することができる。
【図面の簡単な説明】
【００４２】
【図１】本発明の実施の形態１に係る表示装置の全体構成を示す分解斜視図である。
【図２】本発明の実施の形態１に係る表示装置の組付途中の状態を示す斜視図である。
【図３】本発明の実施の形態１に係る表示装置の組付完了後の状態を示す斜視図である。
【図４】本発明の実施の形態１に係る表示装置の化粧パネルのクランプ部材の一部断面表示を含む正面図である。
【図５】本発明の実施の形態１に係る表示装置のパイプと表示パネルユニットとの関係を示す分解斜視図である。
【図６】本発明の実施の形態１に係る表示装置のパイプと表示パネルユニットとの組付状態を示す斜視図である。
【図７】本発明の実施の形態２に係る表示装置の全体構成を示す斜視図である。
【図８】本発明の実施の形態３に係る表示装置の全体構成を示す分解斜視図である。
【図９】本発明の実施の形態４に係る表示装置の全体構成を示す斜視図である。
【図１０】本発明の実施の形態５に係る表示装置の全体構成を示す斜視図である。
【図１１】本発明の実施の形態７に係る表示装置の全体構成を示す側面図である。
【図１２】本発明の実施の形態７に係る表示装置の建物への取付例を示す斜視図である。
【図１３】本発明の実施の形態７に係る表示装置の建物への取付例を示す斜視図である。
【図１４】本発明の実施の形態７に係る表示装置の建物への取付例を示す斜視図である。
【図１５】本発明の実施の形態８に係る表示装置の全体構成を示す側面図である。
【図１６】本発明の実施の形態８に係る表示装置の建物への取付例を示す斜視図である。
【図１７】本発明の実施の形態８に係る表示装置の建物への取付例を示す斜視図である。
【図１８】本発明の実施の形態８に係る表示装置の建物への取付例を示す斜視図である。
【符号の説明】
【００４３】
１，１Ａ  器具本体、１ａ  取付部、２  ＬＥＤ光源、３  誘導表示パネル（表示パネル）、４，４Ａ，４Ｂ  表示パネルユニット、５，５Ａ，５Ｂ  パイプ、５ａ，５ｂ，５ｃ，５ｄ  短管、６  ＬＥＤ基板、７  ランプカバー、８  表示板保持部材、１３  アンカーボルト、１４  台座、１６  把持金具（金具）、１６ａ，１６ｂ  爪、１７  化粧パネル、１８  クランプ部材、３１ａ，３１ｂ  ばね掛部、３２ａ，３２ｂ  Ｖばね（ばね）、４１  点灯装置。
【図１】
2006156233.tif 000003
【図２】
2006156233.tif 000004
【図３】
2006156233.tif 000005
【図４】
2006156233.tif 000006
【図５】
2006156233.tif 000007
【図６】
2006156233.tif 000008
【図７】
2006156233.tif 000009
【図８】
2006156233.tif 000010
【図９】
2006156233.tif 000011
【図１０】
2006156233.tif 000012
【図１１】
2006156233.tif 000013
【図１２】
2006156233.tif 000014
【図１３】
2006156233.tif 000015
【図１４】
2006156233.tif 000016
【図１５】
2006156233.tif 000017
【図１６】
2006156233.tif 000018
【図１７】
2006156233.tif 000019
【図１８】
2006156233.tif 000020